(57)【特許請求の範囲】
【請求項１】
移動通信システムにおける通信チャネル予約方法であって、
移動通信システムの第１のネットワーク（４）における無線チャンネルへのアクセス試行ステップ（５０）と、
前記移動局（１０）によるアクセス試行を拒絶するステップ（５４）と、
前記移動局（１０）によるアクセス試行の拒絶に応答して、前記移動局（１０）から、前記移動通信システムの第２のネットワーク（６）における無線チャンネルを介して前記移動通信システムの第１のネットワーク（４）における前記移動局（１０）用の無線チャンネルを予約するための要求（５６）を送信するステップと、
前記要求（５６）に応答して前記第１のネットワーク（４）における無線チャンネルの予約を取るステップと、
を含む、前記第１のネットワークと前記第２のネットワークの連携によって前記無線チャンネルを予約する、前記方法。
【請求項２】
前記第１のネットワーク（４）に回線交換網が含まれる請求項１記載の方法。
【請求項３】
前記第２のネットワーク（６）にパケット交換網が含まれる請求項２記載の方法。
【請求項４】
前記第１のネットワーク（４）の輻輳時において利用可能な無線チャンネルがない場合に、その結果として、前記移動局（１０）によるアクセス試行を拒絶する前記ステップを実行する請求項３記載の方法。
【請求項５】
無線チャンネル予約の優先順位の指示が前記要求に含まれる請求項１記載の方法。
【請求項６】
前記第１のネットワーク（４）で無線チャンネルを予約する前記ステップに、前記移動局（１０）の識別データを呼予約リストに保存するステップ（６４）が含まれる請求項１記載の方法。
【請求項７】
前記第１のネットワーク（４）で無線チャンネルを予約する前記ステップが更に、
前記第１のネットワークにおける空き無線チャンネルを確認するステップ（６６）と、
前記空き無線チャンネルを前記移動局（１０）用として割り当てるステップ（６８）とを含む請求項６記載の方法。
【請求項８】
更に、割り当てられた前記無線チャンネルを前記移動局（１０）に通知するステップ（７０）を含む請求項７記載の方法。
【請求項９】
更に、割り当てられた前記無線チャンネルを介して前記移動局（１０）にかかわる呼を接続するステップを含む請求項８記載の方法。
【請求項１０】
前記第１のネットワーク（４）の第１のセルに呼予約リストを関連させた請求項６記載の方法。
【請求項１１】
更に、
前記第１のネットワーク（４）の第２のセル内へ前記移動局（１０）が移動したことを検出するステップ（８０）と、
保存された前記移動局（１０）の識別データを前記第１のネットワーク（４）の第１のセルに関連する前記呼予約リストから抹消するステップと、
前記第１のネットワーク（４）の第２のセルに関連する呼予約リストに前記移動局（１０）の識別データを保存するステップとを含む請求項１０記載の方法。
【請求項１２】
前記第１のネットワーク（４）で無線チャンネルを予約する前記ステップが更に、
前記第１のネットワーク（４）の前記第２のセル内の空き無線チャンネルを確認するステップ（６６）と、
前記空き無線チャンネルを前記移動局（１０）用として割り当てるステップ（６８）とを含む請求項１１記載の方法。
【請求項１３】
移動通信ネットワークにおけるトラフィックチャンネルへのアクセスをキューに入れる方法であって、
移動局（１０）から呼（５０）を開始する試行をするステップであって前記移動通信ネットワークの回線交換網（４）の呼トラフィック輻輳時には失敗するステップと、
前記回線交換網（４）の第２のセル内に前記移動局（１０）が移動したことを検出するステップ（８０）と、
呼接続試行に失敗したときに前記移動局（１０）用トラフィックチャンネルの予約を前記回線交換網（４）に対してパケット交換網（６）を介して要求するステップ（５６）と、
前記トラフィックチャンネルの予約を要求した複数の移動局の前記回線交換網（４）の第２のセルに関連するリストには、前記トラフィックチャンネルへのアクセスを待つ複数の移動局のキューが含まれ、該リスト内の前記移動局（１０）の識別データを前記第２のセルに関連する回線交換網（４）内に保存するステップ（６４）とを含む、前記方法。
【請求項１４】
前記呼トラフィック輻輳状態は、前記移動局によるアクセスが可能な空きトラフィックチャンネルがない状態を含む請求項１３記載の方法。
【請求項１５】
前記トラフィックチャンネル予約要求は、前記パケット交換網（６）を介して前記回線交換網（４）に送信される請求項１３記載の方法。
【請求項１６】
複数の移動局の前記リストを前記移動通信ネットワークの交換ノードに保存する請求項１３記載の方法。
【請求項１７】
更に、
前記空きトラフィックチャンネルを確認するステップ（６６）と、該空きトラフィックチャンネルを前記移動局（１０）用として割り当てるステップ（６８）とを含む請求項１３記載の方法。
【請求項１８】
前記移動局（１０）が複数の移動局のキューの先頭に達したときに前記空きトラフィックチャンネルを割り当てる前記ステップを実行する請求項１７記載の方法。
【請求項１９】
更に、前記割り当てられたトラフィックチャンネルを用いて呼接続を完了するステップを含む請求項１８記載の方法。
【請求項２０】
更に、前記トラフィックチャンネル予約用の優先レベルを識別するステップを含む請求項１３記載の方法。
【請求項２１】
移動通信ネットワークにおけるトラフィックチャンネルへのアクセスをキューに入れる方法であって、
移動局（１０）から呼（５０）を開始する試行をするステップであって移動通信ネットワークの回線交換網（４）の呼トラフィック輻輳時には失敗するステップと、
呼接続試行に失敗したときに前記移動局（１０）用トラフィックチャンネルの予約を前記回線交換網（４）に対してパケット交換網（６）を介して要求するステップ（５６）と、
前記トラフィックチャンネルの予約を要求した複数の移動局の前記回線交換網（４）の第１のセルに関連するリストには、前記トラフィックチャンネルへのアクセスを待つ複数の移動局のキューが含まれ、該リスト内の前記移動局（１０）の識別データを前記第１のセルに関連する回線交換網（４）内に保存するステップ（６４）と、
前記回線交換網（４）の第２のセル内に前記移動局（１０）が移動したことを検出するステップ（８０）と、
前記第２のセルの空きトラフィックチャンネルを確認するステップ（６６）と、
確認された前記空きトラフィックチャンネルを前記移動局（１０）用として割り当てるステップ（６８）とを含む、前記方法。
【請求項２２】
回線交換網（４）およびパケット交換網（６）を有する移動通信システムであって、
前記回線交換網（４）における無線チャンネルを特定の移動局（１０）用として予約するための要求（５６）を前記パケット交換網（６）経由で受信するための機能を備え、前記要求（５６）に応答して特定の移動局（１０）による発呼のために前記回線交換網（４）における無線チャンネルの予約を開始する機能を備えたサービスプラットホーム（３０）を有することを特徴とする、前記システム。
【請求項２３】
前記パケット交換網（６）に一般的なパケットラジオサービスネットワークを含む請求項２２記載のシステム。
【請求項２４】
前記回線交換網（４）にサービス交換ノード（１２）を含む請求項２２記載のシステム。
【請求項２５】
呼予約メッセージを前記サービスプラットホーム（３０）から前記サービス交換ノード（１２）へ送ることによって前記無線チャンネルの予約を開始する請求項２４記載のシステム。
【請求項２６】
前記サービス交換ノード（１２）が前記呼予約メッセージに応答して呼予約リストに前記移動局（１０）の識別データを保存する請求項２５記載のシステム。
【請求項２７】
前記サービス交換ノード（１２）が前記回線交換網（４）における空き無線チャンネルを確認し、確認した無線チャンネルを前記呼予約リストで確認された前記移動局（１０）に割り当てる請求項２６記載のシステム。
【請求項２８】
割り当てられた前記無線チャンネルを介して前記サービス交換ノード（１２）が前記移動局（１０）にかかわる呼接続を開始する請求項２７記載のシステム。
【請求項２９】
前記移動局（１０）が当初位置していた第１のセルに前記呼予約リストを関連させたシステムであって、前記移動局（１０）が現在第２のセルに位置していることを知らされたときに、前記サービス交換ノード（１２）が前記第１のセルに関連する前記呼予約リストから保存されている前記移動局（１０）識別データを抹消する請求項２６記載のシステム。
【発明の詳細な説明】
【０００１】
（発明の背景）
（発明の技術分野）
本発明は一般に移動通信サービス、特に輻輳状態の移動通信システムにおける音声チャンネルの予約および配分に関するものである。
【０００２】
（関連技術分野の説明）
移動通信システムは当初、主として無線環境における音声通信を可能にする目的で設計されたものである。無線通信システムが発達するにしたがって、付加的な音声サービスやメッセージサービスと、各種機能が付加された。また、広範なデータ通信サービスを扱うために、更に新しい世代の無線通信システムが開発されようとしている。一般に、それら新世代システムには、音声通信に使用される回線交換網と、データ通信に使用されるパケット交換網の双方が含まれる。
【０００３】
例えば、回線交換網に統合またはオーバーレイされた一般パケット無線サービス（ＧＰＲＳ）ネットワークには、第三世代ＧＳＭ規格が用いられる。別のタイプの無線パケットデータ網では、セルラデジタルパケットデータ（ＣＤＰＤ）とＩＳ−９５データが使われる。回線交換モードとパケット交換モードの両方で通信可能な移動電話を使用すると、セルラ加入者は音声サービスとデータ通信サービスの両方を利用することができる。例えば、無線アプリケーション・プロトコル（ＷＡＰ）をサポートする電話機は、両タイプの通信を考慮して、また、移動電話におけるパケットベースと回線ベースのサービス間でインタラクションを可能にする無線テレフォニーアプリケーション（ＷＴＡ）インタフェースを提供する。
【０００４】
音声通信用の移動電話使用の拡大に伴い、通話殺到時間帯にセルラシステムに著しい輻輳が生じる。この問題は夜間／週末無料（または割引）通話を加入者に提供する料金プランによって更に悪化する。これらの無料通話料金プランにより、通話時間は著しく増加する傾向があり、その結果、輻輳時間帯が拡大する。
【０００５】
セルラ加入者が回線交換網の輻輳を経験すると、システムには処理能力に余裕がないので、通常は呼要求や、その他のサービス要求が拒絶される。加入者は音声チャンネルが利用可能になるまで要求を再送し続けるか、あるいは、システムの輻輳が解消するまで待つことになる。しかし、これでは時間もかかり、いらいらする。場合によっては、隣接セルの音声チャンネルを取得するために、ネットワークが方向性（directed）リトライ手順を用いることもある。しかし、その手順で常に成功するとは限らない。
【０００６】
最終的に、加入電話の場合、加入者は特別優先権を取得することができる。言い換えれば、加入者は特別な月額料金を支払うことにより、標準加入契約の加入者よりも有利なサービス接続優先権を取得することができる。このような特別な優先権を持っていれば、込み合う時間帯に加入者がネットワークに接続できるチャンスは増加するかもしれないが、一般に、単に音声チャンネルが空いていないだけの場合にはネットワークへの接続はできないだろう。また、このような特別な優先権は静的（static）である（すなわち、呼単位ではなく、加入契約単位の支払によって行われる）。特に重要でない通話の場合、加入者は時間をおいて手動でかけ直すだろう。静的な優先権システムでは、そのような選択ができない。一方、加入者ができるだけ早くシステムに接続したいと思う緊急な場合があるかもしれない。しかし、加入者があらかじめ特別な優先権を取得していない限り、緊急時に優先通話を行うことができないだろう。
Alanaraに付与された米国特許No.5,794,156には、ネットワーク側での移動局による発呼をキューに入れるステップを含む無線通信システムの動作方法に関する一般的な記述がある。リソースが利用可能になってキュー内の呼が空になると、呼接続が可能になる。しかし、呼接続ができない場合、移動局にメッセージが送られ、キュー内の呼が接続できないことを通知する。メッセージはトラフィックチャンネルが移動局に割り当てられる前に送られる。この方法では、トラフィックチャンネルを最初から移動局に割り当てず、移動局にキュー内の番号が利用可能でないことを知らせる信号を送ることができる。
Blackburnに付与された米国特許No.5,054,109には、複数の移動無線トランシーバーを含むトランク無線通信システムに関する一般的な記述がある。通信チャンネルがビジーのとき、呼はキューに入れられ、発呼要求者には、要求がキューに入っているという通知を用いて知らされる。
【０００７】
したがって、呼ごと、またはサービス要求ごとにセルラシステムにおける優先権を割り当てるシステムおよび方法が必要である。そのようなシステムと方法が存在すれば、ネットワーク輻輳時に、加入者が特定の呼要求に対する優先権を要求し、既に乏しくなっているネットワーク資源の使用を最小限にしてそのような優先権要求を実行できることが望ましい。交換時、加入者にはサービス料金が課金されるか、または接続時に通話に対してプレミア料金が課金されることになろう。これにより、移動通信システム運用者は利用可能なサービスの種類を増やして付加収入を実現することが可能になるだろう。
【０００８】
（発明の概要）
本発明は移動通信ネットワークにおいて無線チャンネルを予約するための方法およびシステムに関するものである。ネットワークで動作する移動局は、即時通話予約（ＩＣＲ）サービス要求を送信することによって無線チャンネル利用の予約を要求する。それに応答して、ネットワークは移動局によるアクセスが可能な空き無線チャンネルを確認する。そして、ネットワークは空き無線チャンネルを移動局用として予約する。
【０００９】
発明の一実施例では、１つのネットワークが音声通信に使用され、別のネットワークがＩＣＲサービス要求に使用される。最初の無線アクセス試行は回線交換網等の第１のネットワークで行われる。その試行に失敗した場合、ＩＣＲ要求はパケット交換網等の第２のネットワークを通して送信することにより、第１のネットワークの新たな輻輳が避けられる。第２のネットワークは、ＩＣＲサービス要求に関する多くの必要処理を行い、要求された無線チャンネル予約を第１のネットワークとの対話により実行する。
【００１０】
発明の別の実施例では、無線チャンネルへのアクセスを待っている移動局のリストが移動通信ネットワーク内に保存される。リストはＩＣＲサービス要求を出した移動局のキューとして働く。利用可能な無線チャンネルが出ると、それぞれの無線チャンネルはＩＣＲリスト上の移動局用として順次割り当てられる。
【００１１】
もう一つ別の発明の実施例によれば、移動通信システムには回線交換網、パケット交換網、サービスプラットホームが含まれる。サービスプラットホームは回線交換網とパケット交換網の間でインタフェースとして機能する。サービスプラットホームはパケット交換網を介してＩＣＲサービス要求を受信し、その応答として、回線交換網で移動局が利用する無線チャンネルの予約を開始する。
【００１２】
より深く本発明を理解するために、以下に付図にしたがって詳細に説明する。
【００１３】
（発明の詳細な説明）
各付図において、同一または同等の部材は同じ参照符号で示されている。図１は本発明による無線通信システム２のブロック図を示す。この記述において発明はＧＳＭアーキテクチャとの関連で説明されるが、この概念は他のタイプのシステムにも直接適用可能であると解釈することができる。例えば、システムは一般的なパケット無線サービス（ＧＰＲＳ）システムを含むように示されているが、同様にＣＤＰＤまたはＩＳ−９５データ網にも発明を適用することができる。
【００１４】
システム２は、移動交換センター／在圏ロケーションレジスタ（ＭＳＣ／ＶＬＲ）１２およびホームロケーションレジスタ（ＨＬＲ）１４を含む回線交換網４と、サービスＧＰＲＳサポートノード（ＳＧＳＮ）１６およびゲートウェイＧＰＲＳサポートノード（ＧＧＳＮ）１８を含むパケット交換網６とを有する。ＧＧＳＮ１８はＧＰＲＳ６と、他の外部パケット交換網、例えばインターネットとの間を接続するために使用される。システム２内で動作し、ＨＬＲ１４に接続される移動局（ＭＳ）１０は、回線交換網４およびパケット交換網６の両方で通信、アプリケーション実行可能と仮定する。移動局１０は、無線通信データプロトコル（ＷＡＰ）をサポートするか、あるいはネットワーク４、６間でサービスのインタワーキングを可能にする何らかの同等機能をサポートすることが望ましい。
【００１５】
移動局（ＭＳ）１０が音声通話を開始しようとすると、空気インタフェース２０上の制御チャンネルを介して移動局から回線交換網４に呼セットアップ要求が送られる。呼セットアップ要求は通常、ベーストランシーバー局（ＢＴＳ）２２および基地局コントローラ（ＢＳＣ）２４を含むサービス基地局システム２１で受信され、シグナリング接続２６を介してサービスＭＳＣ１２に送られる。サービスＭＳＣ１２は呼セットアップ要求に応じて呼を他のＭＳＣ１２（図示せず）および／または一般加入者電話網（ＰＳＴＮ）（図示せず）に送る。
【００１６】
しかし、回線交換網４が輻輳していると（例えば、サービスＢＳＳ２１からサービスを受けるセル、またはオーバーレイ、アンダーレイのいずれにも音声通信用の無線チャンネルがあいていない場合）、要求された呼接続は完了しない。したがって、好ましい実施例では、ＢＳＳ２１またはＭＳＣ１２は、音声チャンネルの空きがないことを示すためにファストビジー信号または他の適切な信号を移動局１０に送ることによって呼セットアップ要求を断る。あるいは、要求された呼接続を単純に不成功とし、呼セットアップ要求のアクノレッジを受信できないときに、接続失敗の通知を移動局１０で表示または生成することができる。
【００１７】
加入者は回線交換網４が輻輳状態をあることを通知されたとき、パケット交換網６の無線チャンネルを通してＩＣＲサービス要求を送ることによって即時通話予約（ＩＣＲ）サービスを開始することができる。ＩＣＲサービス要求は回線交換網の無線チャンネルの予約要求を含んでおり、加入者が接続しようとする相手を識別する被呼者番号を指定することができる。発明の一実施例によると、移動局１０の回線交換側におけるアプリケーションが移動局１０のインタワーキング機能を利用することにより、加入者の手を煩わせずにパケット交換側で自動的にＩＣＲサービスを開始することができる。代替実施例では、移動局１０はネットワーク輻輳を検出すると、ＩＣＲサービスの呼出しが可能であることを示すメニューオプションを表示して加入者に選択をうながすことができる。また、メニューオプションでは、加入者がＩＣＲサービス要求の優先レベルを入力することが可能であり、優先レベルは加入契約に関連したデフォルトレベルにすることも可能である。
【００１８】
パケット交換網６における通信は、音声通信用とは異なるチャンネルで空気インタフェース２０を介して行われる。システム２のアーキテクチャによっては、パケット交換通信チャネルは、音声通信用のＢＴＳ２２およびＢＳＣ２４と同一場所に配置された無線機器（すなわち、パケット交換ＢＴＳ２２’およびＢＳＣ２４’）によってサポートすることも可能であり、また、オーバーラップはしているが完全に別個のパケット交換無線ネットワークによってサポートすることもできる。
【００１９】
無線パケットデータ網６は、比較的新しく現在は限られたデータサービスしか提供していないので、回線交換網４と比較すると十分に利用されていない傾向がある。また、パケット交換網は、ＩＣＲサービスの実行に必要なデータをわずか数秒で送ることができる要求メカニズムの容量にしたがって動作する。その結果、パケット交換網６を通して加入者がＩＣＲサービスの開始を要求すると、輻輳状態のシステム２では音声通話接続を初めて要求する場合に比べてはるかに成功の確率が高い。言い換えれば、システム２における輻輳は、（パケット交換網における）ＩＣＲサービス要求の伝送の妨げになるが、それにも増して（回線交換網における）適正な音声チャンネル割当を著しく妨げる傾向がある。
【００２０】
ＩＣＲサービスの要求が受信されると、その要求はパケットデータシグナリング接続２８を通してサービスプラットホーム３０に転送される。サービスプラットホーム３０は従来のサービス制御ポイント（ＳＣＰ）と同様のものであるが、従来の回線交換通信サービスに加えてパケット交換サービスもサポートするところが異なる。したがって、サービスプラットホーム３０は、両ネットワーク４、６におけるサービスのインタワーキングを調整し、優先順位をつける機能を持っている。ＩＣＲサービス要求に関して、サービスプラットホーム３０はＳＳ７（signaling System No．7）接続３２を介してＨＬＲ１４に接触し、要求側の移動局１０の認証、詐称解析、セキュリティチェックを行う。さらに、サービスプラットホーム３０は、移動局１０が現在属している領域のサービスＭＳＣ１２を識別する位置情報を取得する。位置情報は、移動局１０からサービスセル内の制御チャンネルを通してＭＳＣ／ＶＬＲ１２へ定期的に送られる登録信号にしたがって更新される。そして、ＭＳＣ／ＶＬＲ１２からＨＬＲ１４へ登録／位置データが送られる。
【００２１】
サービスプラットホーム３０とＨＬＲ１４の間の通信に基づいてＩＣＲサービス要求が承認されると、ＭＳＣ／ＶＬＲ１２で保持されるＩＣＲリストに移動局１０の識別を追加する命令がサービスＭＳＣ１２に送られる。ＭＳＣ／ＶＬＲ１２では各ＢＳＳ２１について１つのＩＣＲリストを保持することが望ましい。したがって、移動局１０が現在属しているセルまたは領域にサービスを提供するＢＳＳ２１のＩＣＲリストに移動局１０が追加される。ＩＣＲリストには、そのセルに位置する移動局１０に対する呼セットアップまたは無線チャンネル予約キューが含まれる。ＩＣＲリストは、ＩＣＲサービス要求が受信、承認された順序にしたがった配列、あるいは、ＩＣＲサービスに含まれる優先権データまたは要求側移動局加入契約に関連する優先権データにしたがった配列が可能である。
【００２２】
サービスセル内の音声チャンネルが空き状態になると、そのセルのＢＳＳ２１は空きチャンネルを知らせるメッセージをＭＳＣ１２に送る。それに応答して、ＭＳＣ１２はアナウンスマシン３４とＢＳＳ２１に関連するＩＣＲリストの上部にある移動局１０との間で呼（すなわち音声パス）をセットアップする。アナウンスマシンは、音声チャンネルが移動局１０のために予約されていることを示す録音メッセージを再生する。そして、移動局１０は、予約音声チャンネルを使って通話を開始することができる。あるいは、ＩＣＲサービス要求に被呼者番号の指定(designation)が含まれていれば、アナウンスマシン３４は、音声チャンネルが現在利用可能であることを移動局１０に通知、あるいは、ＩＣＲリストから移動局１０を抹消するようにＭＳＣ／ＶＬＲ１２に命令することが可能であり、また、その通知および命令の両方を行うこともできる。
【００２３】
発明のもう１つのアスペクトによれば、移動局１０がセル間を移動するときに、ＩＣＲリストをアップデートすることができる。移動局１０が元のＭＳＣ／ＶＬＲ１２からサービスを受ける領域を離れると、移動局１０は次に移動した領域にサービスを提供する新しいＭＳＣ／ＶＬＲ１２に登録される。新しいＭＳＣ／ＶＬＲ１２は登録メッセージをＨＬＲ１４に送る。その結果、ＨＬＲ１４は、移動局１０が元のＭＳＣ／ＶＬＲ１２からサービスを受けていた領域を退去したことを認識する。ＨＬＲ１４は登録キャンセルメッセージを元のＭＳＣ／ＶＬＲ１２に送ることにより、位置変更を通知する。次に、ＭＳＣ／ＶＬＲ１２は、ＩＣＲリストから移動局１０を抹消し、移動局１０の位置変更をＳＧＳＮ１６に通知する。ＳＧＳＮ１６は、ＨＬＲ１４から新しい位置情報（すなわち、新しいＭＳＣ／ＶＬＲ１２）を取得し、適切なＢＳＳ２１（すなわち、移動局１０が位置するセルのＢＳＳ２１）のＩＣＲリストに移動局１０を追加するように新しいＭＳＣ／ＶＬＲ１２に要求する。そのＢＳＳ２１の新しいＭＳＣ／ＶＬＲ１２にＩＣＲリストが存在せず、少なくとも１つの空きチャンネルがあれば、新しいＭＳＣ１２は直ちにアナウンスマシン３４と移動局１０の間で呼セットアップを行う。
【００２４】
また、移動局１０が同じＭＳＣ／ＶＬＲ１２のサービスエリアである１つのセルから別のセルへ移動すると、新しいセルにサービスを提供するＢＳＳ２１を介してＭＳＣ／ＶＬＲ１２に、移動局１０が新しいセルに移動したことが通知される。その結果、ＭＳＣ／ＶＬＲ１２は第１のセルのＩＣＲリストから移動局１０を抹消し、目標セルにサービスを提供するＢＳＳ２１のＩＣＲリストに移動局１０を追加する。そのセル内で音声チャンネルの空きがでると、新しいセル内で直ちに呼セットアップが行われる。
【００２５】
図２は本発明の即時通話予約サービスを実行するためのタイミング／メッセージフローチャートを示す。付図１、２では、移動局１０が位置する領域にサービスを提供するＭＳＣ／ＶＬＲ１２に、ＷＡＰ可能な移動局１０から呼セットアップ要求５０が送信される。しかし、ネットワーク４における通話量が多いため、移動局１０が使用できる空き音声チャンネルがない。ステップ５２においてＭＳＣ／ＶＬＲ１２は、この輻輳状態を確認して、呼セットアップ要求を拒絶するメッセージ５４を送る。
【００２６】
セットアップ要求が拒絶されたことを知らされると、加入者は移動局１０が位置する領域にサービスを提供するＳＧＳＮ１６に対してパケットデータシグナリング接続２８を介してＩＣＲサービス要求５６を送信することによって、ＩＣＲサービス開始を選択する。ＳＧＳＮ１６は別のパケットデータシグナリング接続２８を介してサービスプラットホーム３０にＩＣＲサービス要求５６を送る。サービスプラットホーム３０は、ＳＳ７接続３２を介して移動局１０に関連するＨＬＲ１４に個別の認証メッセージと位置要求メッセージ（まとめて５８で示す）を最初に送ることによってＩＣＲサービスを実行するためのソフトウェアを備えている。ＨＬＲ１４は移動局１０の加入契約データと、回線交換網４における移動局１０の現在位置を確認するデータとを検索して、そのデータ（まとめて６０で示す）を別々のリターンメッセージとしてサービスプラットホーム３０に返す。
【００２７】
このデータを用いて、サービスプラットホーム３０は移動局１０のＩＣＲサービス利用権を確認して、ＩＣＲリストに移動局１０を追加するようにＭＳＣ／ＶＬＲ１２に指示する命令メッセージ６２をＩＣＲに送る。ＩＣＲ命令メッセージ６２には移動局１０の識別子が含まれ、更に、ＩＣＲサービス要求の優先順位指示と、加入者が通話しようとする相手を識別する被呼者番号を含めることも可能である。ＩＣＲ命令メッセージ６２は、パケットデータシグナリング接続２８を介してＳＧＳＮ１６経由、あるいはＳＳ７接続３２を介してＨＬＲ１４経由でＭＳＣ／ＶＬＲ１２に送ることができる。
【００２８】
ステップ６４において、ＭＳＣ／ＶＬＲ１２はＩＣＲ命令メッセージ６２に応答して、移動局１０が現在位置する領域に対応するＩＣＲリストに移動局１０を加える。その領域で通話中の呼が終了するか、他のセルにハンドオフされるにしたがって、最終的に移動局１０はＩＣＲリストの先頭に達する（すなわちキューの先頭になる）。その結果、ステップ６６においてＭＳＣ／ＶＬＲ１２は、移動局１０が接続可能な空きチャンネルを確認する。ＭＳＣ／ＶＬＲ１２は、そのチャンネルを移動局１０のために予約し、ステップ６８においてシグナリングトランク３６およびシグナリング接続２６を介してアナウンスマシン３４と移動局１０の間の音声パスをセットアップする。アナウンスマシン３４は、音声チャンネルが利用可能であって移動局１０のために予約済であることを加入者に知らせるためにステップ７０でメッセージを再生する。これで、加入者は新しい呼セットアップ要求５０を開始するか、あるいは、まだ通話する意思があることを確認することができる。その結果、ステップ７２においてＭＳＣ／ＶＬＲ１２は被呼者番号にしたがって呼のルーティングを行う。
【００２９】
図３は本発明の別の実施例であって、移動局１０が位置を変えたときに即時通話予約サービスを扱うタイミング／メッセージフローチャートを示す。この図では、ＩＣＲサービスが既に開始されている（すなわち、ステップとメッセージ５０〜６４にしたがって）ものと仮定する。したがって、移動局１０は、最初に属していた領域にサービスを提供する第１のＭＳＣ／ＶＬＲ１２（１）のＩＣＲリスト上で確認される。しかし、ステップ８０において、ＩＣＲリストを保持する第１のＭＳＣ／ＶＬＲ１２（１）は、移動局１０がそのサービスエリアから離れたことを（上述の登録キャンセル手順にしたがって）知らされる。その結果、第１のＭＳＣ／ＶＬＲ１２（１）はＩＣＲリストから移動局１０を抹消して、位置変更通知メッセージ８２をＳＧＳＮ１６に送る。ＳＧＳＮ１６は、位置要求８４をＨＬＲ１４に送ることによって移動局１０の位置を求めようとする。それに応答して、ＨＬＲ１４は位置リターンメッセージ８６をＳＧＳＮ１６に送る。位置リターンメッセージ８６は、移動局１０が入ってきた領域にサービスを提供する新しいＭＳＣ／ＶＬＲ１２（２）を確認する。そして、ＳＧＳＮ１６はＩＣＲ命令メッセージ６２を新しいＭＳＣ／ＶＬＲ１２（２）に送る。
【００３０】
移動局１０が利用できる音声チャンネルが新しいＭＳＣ／ＶＬＲ１２（２）になければ、新しいＭＳＣ／ＶＬＲ１２（２）において（図３の点線ＡとＢの間で示されるように）新たにＩＣＲプロセスを実行する必要がある。ステップ６４においてＭＳＣ／ＶＬＲ１２（２）は、移動局１０が現在位置する領域に対応するＩＣＲリストに移動局１０を加える。ＭＳＣ／ＶＬＲ１２（２）は最終的にステップ６６において、移動局１０が接続できる空きチャンネルを確認する。ＭＳＣ／ＶＬＲ１２（２）は移動局１０のためにチャンネルを予約し、ステップ６８においてシグナリングトランク３６およびシグナリング接続２６を介してアナウンスマシン３４と移動局１０の間の音声パスをセットアップする。アナウンスマシン３４は、音声チャンネルが利用可能であって移動局１０のために予約済みであることを加入者に通知するためにステップ７０でメッセージを再生する。これで、加入者は新しい呼セットアップ要求５０を開始するか、あるいは、まだ通話する意思があることを確認することができる。その結果、ステップ７２においてＭＳＣ／ＶＬＲ１２は被呼者番号にしたがって呼ルーティングを行う。
【００３１】
一方、ＩＣＲ命令メッセージ６２を受け取ったときに新しいＭＳＣ／ＶＬＲ１２（２）において少なくとも１つの音声チャンネルを移動局１０が利用できれば、新しいＭＳＣ／ＶＬＲ１２（２）はＩＣＲリストに移動局１０を追加する必要がない。その場合、ＭＳＣ／ＶＬＲ１２（２）は図３の点線Ｂの下に示されるステップ６６において、移動局１０が接続可能な空きチャンネルを確認するだけである。ＭＳＣ／ＶＬＲ１２（２）は、そのチャンネルを移動局１０のために予約し、ステップ６８においてシグナリングトランク３６およびシグナリング接続２６を介してアナウンスマシン３４と移動局１０の間の音声パスをセットアップする。アナウンスマシン３４は、音声チャンネルが利用可能であって移動局１０のために予約済であることを加入者に知らせるためにステップ７０でメッセージを再生する。これで、加入者は新しい呼セットアップ要求５０を開始するか、あるいは、まだ通話する意思があることを確認することができる。その結果、ステップ７２においてＭＳＣ／ＶＬＲ１２（２）は被呼者番号にしたがって呼のルーティングを行う。
【００３２】
本発明の方法および装置の好ましい実施例を付図に示すと共に、上記詳細な説明で記述したが、発明は以上に開示した実施例に限定されるものではなく、特許請求の範囲に明記された発明の趣旨の範囲内で多くの再構成、変形、代替が可能である。
【図面の簡単な説明】
【図１】  本発明による無線通信システムのブロック図。
【図２】  本発明の即時通話予約サービスを実行するタイミング／メッセージフローチャート。
【図３】  本発明の別の実施例において、移動局の位置が変わったときに即時通話予約サービスを扱うためのタイミング／メッセージフローチャート。
【図１】
0003792155.tif 000002
【図２】
0003792155.tif 000003
【図３】
0003792155.tif 000004